(57)【要約】【課題】本発明は、通常のカメラでも使用可能な三脚に取り付けて使用することができるカメラ付き携帯電話機を提供する。【解決手段】本発明のカメラ付き携帯電話機１０には、三脚４０のカメラ取付用雄ねじ４２に螺合されるねじ孔４４が形成される。このねじ孔４４を三脚４０のカメラ取付用雄ねじ４２に螺合させることにより、三脚４０にカメラ付き携帯電話機１０を取り付ける。撮影時には、カメラ付き携帯電話機１０のＣＣＤカメラ・モジュール２０が被写体の方に向くように、サブディスプレイ２２に表示された画像を見ながら三脚１０を移動させる。そして、シャッターチャンスを伺いながら所望のタイミングで、撮影者は別のカメラ付き携帯電話機１０を操作して赤外線リモコン信号を三脚１０のカメラ付き携帯電話機１０に送信する。これにより、三脚１０のカメラ付き携帯電話機１０の電子シャッターがレリーズされ、撮影が行われる。【選択図】      図３
2006154660.tif 000002
【特許請求の範囲】
【請求項１】
撮像部を備えたカメラ付き携帯電話機の本体に、三脚の取付用雄ねじが螺合されるねじ孔が形成されていることを特徴とするカメラ付き携帯電話機。
【請求項２】
前記カメラ付き携帯電話機の本体は、ヒンジ部を介して折り畳み可能に構成され、
前記ヒンジ部に前記ねじ孔が形成されていることを特徴とする請求項１に記載のカメラ付き携帯電話機。
【請求項３】
前記ヒンジ部に形成された前記ねじ孔は、前記ヒンジ部の回動軸に該回動軸と直交する方向に形成され、又は前記ヒンジ部の回動軸に該回動軸の軸方向に沿って形成されていることを特徴とする請求項２に記載のカメラ付き携帯電話機。
【請求項４】
前記カメラ付き携帯電話機の本体には、前記撮像部のシャッターをレリーズさせるためのリモコン信号を受信するリモコン信号受信部が設けられていることを特徴とする請求項１、２又は３のうちいずれか一つに記載のカメラ付き携帯電話機。
【請求項５】
前記カメラ付き携帯電話機が通話モードからカメラモードに切り替えられた際に、他の電話機からの呼び出し信号を受信すると、その信号をレリーズ信号と判断して前記撮像部のシャッターをレリーズさせるレリーズ回路部が設けられたことを特徴とする請求項１、２又は３のうちいずれか一つに記載のカメラ付き携帯電話機。
【請求項６】
撮像部を備えるとともにバッテリが着脱自在に取り付けられたカメラ付き携帯電話機の本体と、
前記本体のバッテリ装着部に着脱自在に取り付けられるとともに三脚のカメラ取付用雄ねじに螺合されるねじ孔及びバッテリを備えた三脚取付用アダプタと、
を有することを特徴とするカメラ付き携帯電話機。
【発明の詳細な説明】
【技術分野】
【０００１】
本発明はカメラ付き携帯電話機に係り、特に三脚に取り付けて使用する際に好適なカメラ付き携帯電話機に関する。
【背景技術】
【０００２】
近年では、有効画素数が１００万を超える画素数でズーム機能、高速連写機能、及びセルフタマー機能を備えたカメラ付き携帯電話機が市販されている。このようなセルフタイマー撮影機能等が搭載されたカメラ付き携帯電話機の普及に伴い、通常のカメラのようにカメラ付き携帯電話機を三脚に取り付け、セルフタイマーにより被写体を撮像することが行われてきている。
【０００３】
カメラ付き携帯電話機用の三脚として特許文献１に開示されたものは、３本の伸縮式脚部に支持された置き台上に携帯電話機を載せるとともに、置き台に設けられた側部壁によって、置き台に載せられた携帯電話機を両側から挟持することにより、携帯電話機を三脚に取り付けるものである。
【０００４】
また、特許文献２に開示された三脚は、三脚の頂部に設けられたカメラ取付用雄ねじに、カメラ付き携帯電話機を載せる台を螺合させるとともに、この台にスプリングを介して取り付けられた挟持板の付勢力によって、台に載せられたカメラ付き携帯電話機を両側から挟持することによりカメラ付き携帯電話機を三脚に取り付けるものである。
【特許文献１】特開２００４−１０１７４９号公報
【特許文献２】実用新案登録第３０９５７４０号公報
【発明の開示】
【発明が解決しようとする課題】
【０００５】
しかしながら、特許文献１、２に開示された三脚は、いずれも携帯電話機を載せる置き台を備えた構成であり、すなわち、カメラ付き携帯電話機専用の三脚として構成されたものなので、通常のカメラには使用することができず、汎用性がないという欠点があった。
【０００６】
本発明は、このような事情に鑑みてなされたもので、通常のカメラでも使用可能な三脚に取り付けて使用することができるカメラ付き携帯電話機を提供することを目的としている。
【課題を解決するための手段】
【０００７】
請求項１に記載の発明は、前記目的を達成するために、撮像部を備えたカメラ付き携帯電話機の本体に、三脚の取付用雄ねじが螺合されるねじ孔が形成されていることを特徴としている。
【０００８】
三脚に設けられているカメラの取付用雄ねじは、ＪＩＳに規定された例えば１／４インチのＩＳＯインチねじである。この取付用雄ねじが螺合されるねじ孔をカメラ付き携帯電話機の本体に直接設けることにより、通常のカメラが使用される三脚に、カメラ付き携帯電話機を取り付けることができる。よって、本発明のカメラ付き携帯電話機によれば、通常のカメラでも使用可能な三脚に取り付けて使用することができる。
【０００９】
請求項２に記載の発明は、請求項１に記載の発明において、前記カメラ付き携帯電話機の本体は、ヒンジ部を介して折り畳み可能に構成され、前記ヒンジ部に前記ねじ孔が形成されていることを特徴としている。ヒンジ部を介して開閉可能な二つ折りのカメラ付き携帯電話機は、重心位置がヒンジ部にまたその近傍位置にあるため、ヒンジ部にねじ孔を形成することにより、カメラ付き携帯電話機を三脚に安定して取り付けることができる。更にまた、ヒンジ部にはねじ孔を形成するに十分なスペースがあるため、ねじ孔を形成するスペースをカメラ本体に別途確保する必要はない。よって、カメラ本体が大型にならず、現状の大きさを維持することができる。
【００１０】
請求項３に記載の発明は、請求項２に記載の発明において、前記ヒンジ部に形成された前記ねじ孔は、前記ヒンジ部の回動軸に該回動軸と直交する方向に形成され、又は前記ヒンジ部の回動軸に該回動軸の軸方向に沿って形成されていることを特徴としている。ヒンジ部に形成されるねじ孔を、ヒンジ部の回動軸と直交する方向に形成することにより、カメラ付き携帯電話機の本体を縦方向の姿勢で三脚に取り付けることができる。また、ヒンジ部に形成されるねじ孔を、ヒンジ部の回動軸の軸方向に沿って形成することにより、カメラ付き携帯電話機の本体を横方向の姿勢で三脚に取り付けることができる。したがって、撮影者の好みの姿勢で三脚に取り付けることができる。
【００１１】
請求項４に記載の発明は、請求項１、２又は３のうちいずれか一つに記載の発明において、前記カメラ付き携帯電話機の本体には、前記撮像部のシャッターをレリーズさせるためのリモコン信号を受信するリモコン信号受信部が設けられていることを特徴としている。カメラ付き携帯電話機の本体にリモコン信号受信部を設けることにより、三脚に取り付けられたカメラ付き携帯電話機のシャッターを遠隔操作することができる。リモコン信号を送信するリモコン信号送信部は、専用のリモコン装置としてもよいが、携帯電話機にリモコン信号送信部を搭載することにより、手軽なリモコン操作が可能となる。すなわち、カメラ付き携帯電話機にリモコン送受信部を設けることにより、利用範囲が向上する。
【００１２】
請求項５に記載の発明は、請求項１、２又は３のうちいずれか一つに記載の発明において、前記カメラ付き携帯電話機がカメラモードに切り替えられた際に、他の電話機からの呼び出し信号を受信すると、その信号をレリーズ信号と判断して前記撮像部のシャッターをレリーズさせるレリーズ回路部が設けられたことを特徴としている。カメラ付き携帯電話機を三脚に取り付けるとともに、モードを通話モードからカメラモードに切り替え、そのカメラ付き携帯電話機に他の電話機からダイヤルする。そうすると、カメラ付き携帯電話機は、他の電話機からの呼び出し信号を受信し、この信号に基づきレリーズ回路部が撮像部のシャッターをレリーズし被写体を撮像する。電話機として携帯電話機を使用すれば、手軽なリモコン操作が可能となる。
【００１３】
請求項６に記載の発明は、前記目的を達成するために、撮像部を備えるとともにバッテリが着脱自在に取り付けられたカメラ付き携帯電話機の本体と、前記本体のバッテリ装着部に着脱自在に取り付けられるとともに三脚のカメラ取付用雄ねじに螺合されるねじ孔及びバッテリを備えた三脚取付用アダプタと、を有することを特徴としている。三脚のカメラ取付用雄ねじに螺合されるねじ孔が設けられた三脚取付用アダプタを、カメラ付き携帯電話機の本体のバッテリ装着部に取り付けることにより、三脚取付用アダプタを介してカメラ付き携帯電話機を三脚に取り付けることができる。三脚取付用アダプタに、あらかじ備えられている大容量のバッテリを電源として利用することにより、特にストロボ装置が内蔵されたカメラ付き携帯電話機にあっては、多数枚のストロボ撮影が可能になる。また、携帯電話機として使用する場合には、カメラ付き携帯電話機から三脚取付用アダプタを取り外し、携帯電話機専用のバッテリをカメラ付き携帯電話機に装着すればよい。
【発明の効果】
【００１４】
以上説明したように本発明に係るカメラ付き携帯電話機によれば、三脚のカメラ取付用雄ねじと螺合されるねじ孔をカメラ付き携帯電話機の本体に設けたので、通常のカメラでも使用可能な三脚に取り付けて使用することができる。
【発明を実施するための最良の形態】
【００１５】
以下、添付図面に従って本発明に係るカメラ付き携帯電話機の好ましい実施の形態について詳説する。
【００１６】
図１は、第１の実施の形態に係るカメラ付き携帯電話機１０の全体斜視図が示されている。
【００１７】
同図に示すカメラ付き携帯電話機１０は、本体１２が中央部のヒンジ軸（ヒンジ部）１４を介して開閉可能に折り畳まれる二つ折りの携帯電話機であり、本体１２は、ヒンジ軸１４により開放された際に、電源ボタン、通話ボタン、ダイヤルボタン、メニューボタン等の各種操作ボタン（不図示）が露出する操作部１６と、メインディスプレイ（不図示）が露出する表示部１８とから構成されている。このメインディスプレイは、例えば約２．２インチのＱＶＧＡ（Quarter Video Graphics Array：２４０×３２０ドット）の透過型ＴＦＴ液晶ディスプレイであり、後述するＣＣＤカメラ・モジュール（撮像部）２０の画素数に合わせて高精細な画像を表示するものが適用されている。
【００１８】
表示部１８の表面略中央には、サブディスプレイ２２が設けられている。このサブディスプレイ２２は、例えば約１．１インチ（１２０×１２０ドット）の半透過型ＴＦＴ液晶ディスプレイであり、カメラ付き携帯電話機１０が通話モードの場合には時刻及び電波感度等が表示され、通話モードからカメラモードに切り替えられると、ＣＣＤカメラ・モジュール２０によって撮像されている画像が表示される。なお、通話モードとカメラモードの切り替えは、操作部１６に設けられたメニューボタンを操作することによって行われる。また、カメラ付き携帯電話機１０を三脚に取り付けた際に、その取り付けたことを検知するセンサを設け、このセンサからの出力信号に基づいて通話モードからカメラモードに切り替えるように構成してもよい。
【００１９】
ＣＣＤカメラ・モジュール２０は、表示部１８を縦方向に構えた際に表示部１８の左上隅部に配置されている。このＣＣＤカメラ・モジュール２０はオートフォーカス機能を有し、最大７倍の電子ズーム機能を備えた１００万画素のＣＣＤカメラである。
【００２０】
このカメラ付き携帯電話機１０の通常撮影時（三脚を使用しない撮影時）において、モードが通話モードからカメラモードに切り替えられると、表示部１８のメインディスプレイが電子ビューファインダとして機能する。そして、撮影者がシャッターボタン２４を押圧操作すると、ＣＣＤカメラ・モジュール２０で取り込んだ被写体が撮像され、メインディスプレイには、撮像した画像が静止画像として表示される。撮像した被写体の画像データは、メモリースティック、メモリーカード等の例えば１６ＭＢの外部メモリースロット２６に電子データとして記録される。なお、シャッターボタン２４及び外部メモリースロット２６の差込口２８は、操作部１６の側面にそれぞれ配置されている。
【００２１】
また、表示部１８の右上隅部には、通話用アンテナ３０が伸縮自在に設けられている。更にまた表示部１８の右下隅部には、ＣＣＤカメラ・モジュール２０の電子シャッターをレリーズするための赤外線リモコン信号を送受信する送受信部（リモコン信号受信部）３２が設けられている。
【００２２】
この送受信部３２から前記赤外線リモコン信号を受信すると、図４如くカメラ付き携帯電話機１０を統括制御するＣＰＵ３６がＣＣＤカメラ・モジュール２０の電子シャッターをレリーズ制御する。また、送受信部３２から前記赤外線リモコン信号を別のカメラ付き携帯電話機１０に送信することもできる。この場合、別のカメラ付き携帯電話機１０側の電子シャッターがリモコン操作されてレリーズする。なお、カメラ付き携帯電話機１０による赤外線リモコン信号の送信は、メニューボタンによって選択された信号送信ボタンを押すことにより実行される。
【００２３】
ところで、図１に示したカメラ付き携帯電話機１０には、図２及び図３の如く、三脚４０のカメラ取付用雄ねじ４２に螺合されるねじ孔４４が形成されている。
【００２４】
この三脚４０は、ドーナツ形状に形成された本体部４６の外周部に、３本の脚部４８、４８（一本は不図示）がぞれぞれピン５０を介して開閉脚自在に連結されて構成されている。また、本体部４６の中央に形成された貫通孔５２には、貫通孔５２に沿って昇降移動されるエレベータ部５４が配置されている。このエレベータ部５４の上端部には円盤状に形成されたカメラ取付台５６が固定されており、このカメラ取付台５６の中央部にカメラ取付用雄ねじ４２が上方に向けて突設されている。また、エレベータ部５４は、全体がパイプ状に形成されるとともに、その外周面にはラック５８がエレベータ部５４の軸方向に沿って形成されている。このラック５８に噛合されるピニオン（不図示）は、本体部４６内に回動自在に設けられ、このピニオンを手動で回動させるハンドル６０が本体部４６の外周部に回動自在に設けられている。したがって、エレベータ部５４を上昇させる方向にハンドル６０を回動させると、ラック５８とピニオンとによる送り作用によってエレベータ部５４が貫通孔５２に沿って上昇する。これにより、エレベータ部５４のカメラ取付台５６にカメラ取付用雄ねじ４２を介して取り付けられたカメラ付き携帯電話機１０が、三脚４０の本体部４６に対して上昇し、所望の高さに位置調整される。
【００２５】
三脚４０に設けられているカメラ取付用雄ねじ４２は、ＪＩＳに規定された１／４インチのＩＳＯインチねじである。このカメラ取付用雄ねじ４２と螺合されるねじ孔４４が、カメラ付き携帯電話機１０のヒンジ軸１４の中央位置であってヒンジ軸１４と直交する方向に形成されている。
【００２６】
次に、前記の如く構成されたカメラ付き携帯電話機１０の三脚４０を用いた使用方法について説明する。
【００２７】
まず、図３の如く、三脚４０のカメラ取付用雄ねじ４２にカメラ付き携帯電話機１０のねじ孔４４を螺合させることにより、三脚４０にカメラ付き携帯電話機１０を取り付ける。このとき、ヒンジ軸１４を介して開閉可能な二つ折りのカメラ付き携帯電話機１０は、重心位置がヒンジ軸１４にまたその近傍位置にあるため、ヒンジ軸１４にねじ孔４４を形成することにより、カメラ付き携帯電話機１０を三脚４０に安定して取り付けることができる。更に、ヒンジ軸４４にはねじ孔４４を形成するに十分なスペースがあるため、ねじ孔４４を形成するスペースを本体１２に別途確保する必要はない。よって、本体１２が無用に大型にならず、現状の大きさを維持することができる。
【００２８】
次に、カメラ付き携帯電話機１０のメニューボタンを操作して通話モードからカメラモードに切り替える。これにより、サブディスプレイ２２には、ＣＣＤカメラ・モジュール２０によって撮像されている画像が表示される。
【００２９】
次いで、カメラ付き携帯電話機１０のＣＣＤカメラ・モジュール２０が被写体の方に向くように、サブディスプレイ２２に表示された画像を見ながら三脚１０を移動させる。そして、シャッターチャンスを伺いながら所望のタイミングで、撮影者は別のカメラ付き携帯電話機１０を操作して赤外線リモコン信号を三脚１０のカメラ付き携帯電話機１０に送信する。これにより、三脚１０のカメラ付き携帯電話機１０の電子シャッターがレリーズし、撮影が終了する。このようにカメラ付き携帯電話機１０にリモコン信号送信部を搭載することにより、手軽なリモコン操作が可能となる。なお、セルフタイマー付きのカメラ付き携帯電話機１０の場合には、別のカメラ付き携帯電話機１０を利用することなくセルフタイマー機能を利用して撮影を行ってもよい。
【００３０】
また、他のリモコン式のレリーズ方法として、カメラ付き携帯電話機１０がカメラモードに切り替えられた際に、他の電話機からの呼び出し信号を図５のアンテナ３０を介して受信すると、その信号をレリーズ信号と判断してＣＣＤカメラ・モジュール２０の電子シャッターをレリーズさせるレリーズ回路部３８をＣＰＵ３６に設けてもよい。
【００３１】
このレリーズ方法によれば、カメラ付き携帯電話機１０は、他の電話機から呼び出し信号を受信することによって撮影を実行する。電話機として携帯電話機を使用すれば、手軽なリモコン操作が可能となる。
【００３２】
図６、図７は、第２の実施の形態に係るカメラ付き携帯電話機１００が示され、図１〜図３に示した第１の実施の形態のカメラ付き携帯電話機１０と同一又は類似の部材については同一の符号を付してその説明は省略する。
【００３３】
図６に示すカメラ付き携帯電話機１００は、ヒンジ軸１４に形成されるねじ孔１０２を、ヒンジ軸１４の端部から軸方向に沿って形成したものである。図７の如く三脚４０のカメラ取付用雄ねじ４２にねじ孔１０２を螺合させると、カメラ付き携帯電話機１００は、横向きの姿勢で三脚４０に取り付けられる。この場合、操作部１６に設けられるシャッターレリーズボタン２４は、三脚４０への取り付け時に操作し易いように、図７の如く上面に位置する側面に設けることが好ましい。
【００３４】
図８、図９は、傘１１０の先端に設けられた雄ねじ１１２に、カメラ付き携帯電話機１００のねじ孔１０２を螺合させ、傘１１０の先端にカメラ付き携帯電話機１００を取り付けた形態が示されている。この形態は、傘１１０の雄ねじ１１２と三脚４０のカメラ取付用雄ねじ４２とが同一の規格品であることに着目したものである。
【００３５】
このように傘１１０の先端にカメラ付き携帯電話機１００を取り付け、リモコンにより電子シャッターをレリーズする手法を採択することによって、傘１１０の柄１１４を持ち、カメラ付き携帯電話機１００を高い位置に上げれば、人だかりの後ろから前の人の頭越しに被写体を撮像することができる。なお、通常時において傘１１０の雄ねじ１１２は、キャップ１１６の雌ねじ１１６に螺合され、キャップ１１６によって被覆されている。
【００３６】
図１０は、第３の実施の形態のカメラ付き携帯電話機１２０の全体斜視図である。
【００３７】
図１０に示すカメラ付き携帯電話機１２０は、本体１２２が板状に形成された折り畳み不能のものであり、その背面側にはサブディスプレイ２２、ＣＣＤカメラ・モジュール２０、及びストロボ発光部１２３が設けられている。また、板状のバッテリ１２４が本体１２２の背面に形成されたバッテリ装着部１２６に着脱自在に取り付けられている。
【００３８】
更に、本体１２２のバッテリ装着部１２６には、Ｌ字型に形成された三脚取付用アダプタ１２８が着脱自在に取り付けられる。この三脚取付用アダプタ１２８は立面部１３０と底面部１３２とから構成され、底面部１３２には、三脚４０（図３等参照）のカメラ取付用雄ねじ４２に螺合されるねじ孔１３４がその中央部に形成される。一方で立面部１３０には、リモコン信号の送受信部３２が設けられるとともに、カメラ付き携帯電話機１０に電力を供給するバッテリ１３６が内蔵されている。送受信部３２が受信したリモコン信号及びバッテリ１３６からの電力は、三脚取付用アダプタ１２８の不図示の接片からバッテリ装着部１２６に設けられた接片１３８、１３８を介してカメラ付き携帯電話機１２０側に供給される。
【００３９】
このように構成されたカメラ付き携帯電話機１２０によれば、三脚４０のカメラ取付用雄ねじ４２に螺合されるねじ孔１３４が設けられた三脚取付用アダプタ１２８を、カメラ付き携帯電話機１２０のバッテリ装着部１２６に取り付けることにより、三脚取付用アダプタ１２８を介してカメラ付き携帯電話機１２０を三脚４０に取り付けることができる。また、三脚取付用アダプタ１２８にあらかじ備えられている大容量のバッテリ１３６を電源として利用することにより、特にストロボ発光部１２３が内蔵されたカメラ付き携帯電話機１２０にあっては、多数枚のストロボ撮影が可能になる。また、携帯電話機として使用する場合には、カメラ付き携帯電話機１２０の本体１２２から三脚取付用アダプタ１２８を取り外し、携帯電話機専用のバッテリ１２４をカメラ付き携帯電話機１２０の本体１２２に装着すればよい。更にまた、バッテリの無い三脚取付用アダプタを使用する場合には、この三脚取付用アダプタにバッテリ１２４を電気的に接続し、バッテリ１２４の電力をカメラ付き携帯電話機１２０に供給することが好ましい。
【００４０】
なお、実施の形態のカメラ付き携帯電話機１０、１００では、ヒンジ軸１４にねじ孔４４、１０２を形成した例について説明したが、これに限定されるものではなく、ねじ孔は本体１２の所望の位置に設ければよい。
【図面の簡単な説明】
【００４１】
【図１】第１の実施の形態のカメラ付き携帯電話機を示した全体斜視図
【図２】図１に示したカメラ付き携帯電話機を三脚に取り付ける状態を示した斜視図
【図３】図１に示したカメラ付き携帯電話機が三脚に取り付けられた斜視図
【図４】リモコン信号送受信部を有するカメラ付き携帯電話機のブロック図
【図５】レリーズ回路部を有するカメラ付き携帯電話機のブロック図
【図６】第２の実施の形態のカメラ付き携帯電話機を示した全体斜視図
【図７】図６に示したカメラ付き携帯電話機が三脚に取り付けられた斜視図
【図８】図６に示したカメラ付き携帯電話機と傘を示した説明図
【図９】図６に示したカメラ付き携帯電話機が傘に取り付けられた斜視図
【図１０】第３の実施の形態のカメラ付き携帯電話機を示した全体斜視図
【符号の説明】
【００４２】
１０…カメラ付き携帯電話機、１２…本体、１４…ヒンジ軸、１６…操作部、１８…表示部、２０…ＣＣＤカメラ・モジュール、２２…サブディスプレイ、２４…シャッターボタン、２６…外部メモリースロット、３０…通話用アンテナ、３２…送受信部、３６…ＣＰＵ、４０…三脚、４２、１２２…カメラ取付用雄ねじ、４４、１０２…ねじ孔、１１０…傘、１２８…三脚取付用アダプタ
【図１】
2006154660.tif 000003
【図２】
2006154660.tif 000004
【図３】
2006154660.tif 000005
【図４】
2006154660.tif 000006
【図５】
2006154660.tif 000007
【図６】
2006154660.tif 000008
【図７】
2006154660.tif 000009
【図８】
2006154660.tif 000010
【図９】
2006154660.tif 000011
【図１０】
2006154660.tif 000012